(57)【特許請求の範囲】
【請求項１】
目地溝によって区画された凸ブロックの複数個を縦横に配列したブロック調模様を表面に有する建築板であって、該ブロック調模様は表面に種々の大きさ・形状の比較的浅い凹みを比較的低密度に散在させ縦巾広とした凸ブロックＡと、表面に種々の大きさ・形状の比較的深い凹みを比較的高密度に散在させ縦巾狭とした凸ブロックＢとを上下方向で交互に配列し、該凸ブロックＢは建築板の全横巾にわたって連続しており、かつ該凸ブロックＢの比較的深い凹みのいくらかのものは該凸ブロックＢの略全縦巾にわたって設けられていることを特徴とする建築板。
【請求項２】
該凸ブロックの表面高さはほぼ同一に設定されている請求項１に記載の建築板。
【請求項３】
各凸ブロックＡ，Ｂの上面と側面との境界部および隅角は曲面に形成されている請求項１または２に記載の建築板。
【請求項４】
各凸ブロックＡ，Ｂの側面からなる縦横目地溝の両側の両側壁は凹凸面とされ、そして該目地溝底面は平面とされており、かくして各凸ブロック上面と側面との境界線および側面と目地溝底面との境界線が不規則な非直線状になっている請求項１または２または３に記載の建築板。
【請求項５】
該建築板全面に下塗り塗装が施され、更に各凸ブロック表面にのみ下塗りとは異色塗装の中塗り塗装が施され、かくして下塗り塗装と中塗り塗装との境界線は該凸ブロック上面と側面との境界部および側面と目地溝底面との境界線とは平行でなく不規則な非直線状になっており、更に中塗り塗装の上にグラビアオフセット印刷塗装が施されている請求項４に記載の建築板。
【発明の詳細な説明】
【０００１】
【発明の属する技術分野】
本発明は例えば外壁材等に使用される建築板に関するものである。
【０００２】
【従来の技術】
この種の建築板としては、表面に目地溝によって区画された凸ブロックの複数個を縦横に配したブロック調模様が付されているものが多用されている。そして各ブロックの表面には凹みを多数設けて自然岩石の肌様の外観を付与している。
このようなブロック調模様にあっては、目地溝が明確な直線状であると堅い機械的な外観となってしまう（特許文献１参照）。そこで図８に示す建築板(91)のように目地溝(93)の側壁にあたる凸ブロック(92)の側面(94,94) の傾斜角度α，βを隣接する凸ブロック(92,92) において異ならしめたり、図９に示す建築板(95)のように凸ブロック(96,96) の上面と側面の境界線を不規則な曲線として、ブロック調模様が堅い機械的な外観を呈するのを逃れる試みもなされている（特許文献２参照）。
【０００３】
【特許文献１】
特開平７−１０２７２３号公報。
【特許文献２】
特開２００２−２１２９０号公報。
【０００４】
【発明が解決しようとする課題】
上記建築板(91,95) にあっては、各凸ブロック(92,96) 上面に付された凹凸模様が略一様であり、また各凸ブロック(92,96) が略同一な４角形状を呈しているので、変化に乏しく単調な意匠となっているという問題点があった。
【０００５】
【課題を解決するための手段】
本発明は上記従来の課題を解決する手段として、目地溝(2v,2w) によって区画された凸ブロックの複数個を縦横に配列したブロック調模様を表面に有する建築板(1) であって、該ブロック調模様は表面に種々の大きさ・形状の比較的浅い凹み(1a)を比較的低密度に散在させ縦巾広とした凸ブロックＡと、表面に種々の大きさ・形状の比較的深い凹み(1b)を比較的高密度に散在させ縦巾狭とした凸ブロックＢとを上下方向で交互に配列し、該凸ブロックＢは建築板の全横巾にわたって連続しており、かつ該凸ブロックＢの比較的深い凹み(1b)のいくらかのものは該凸ブロックＢの略全縦巾ｗにわたって設けられている建築板(1) を提供するものである。
【０００６】
また更に該凸ブロックＡ，Ｂの表面高さh1,h2 はほぼ同一に設定されていることが望ましい。
【０００７】
また更に各凸ブロックＡ，Ｂの上面と側面との境界部(11)および隅角(12)は曲面に形成されていることが望ましい。
また更に各凸ブロックＡ，Ｂの側面からなる縦横目地溝(2v,2w) の両側の両側壁(21)は凹凸面とし、そして該目地溝(2v,2w) 底面(22)は平面とされており、かくして各凸ブロックＡ，Ｂ上面と側面(21)との境界部(11)および側面(21)と目地溝底面(22)との境界線(23)が不規則な非直線状になっていることが望ましい。
【０００８】
該建築板(1) 全面に下塗り塗装を施し、更に各凸ブロックＡ，Ｂ表面にのみ下塗りとは異色塗装の中塗り塗装を施し、かくして下塗り塗装と中塗り塗装との境界線は該凸ブロックＡ，Ｂ上面と側面(21)との境界部(11)および側面(21)と目地溝底面(23)との境界線(23)とは平行でなく不規則な非直線状になっており、更に中塗り塗装の上にグラビアオフセット印刷塗装を施すことが望ましい。
【０００９】
【作用】
〈請求項１〉
建築板(1) の表面には表面に種々の大きさ・形状の比較的浅い凹み(1a)を比較的低密度に散在させた凸ブロックＡと、表面に種々の大きさ・形状の比較的深い凹み(1b)を比較的高密度に散在させた凸ブロックＢとが混在しているから、ブロック調模様に変化が付される。
【００１０】
該凸ブロックＡと該凸ブロックＢとは上下方向で交互に配列されているから、凸ブロックＡと該凸ブロックＢとの表面凹模様の差異が強調され、ブロック調模様の変化が顕著に看取される。
【００１１】
該凸ブロックＡと該凸ブロックＢとが上下方向で交互に配列されており、かつ該上記表面に比較的浅い凹み(1a)を比較的低密度に散在せしめた凸ブロックＡは縦巾広とし、上記表面に比較的深い凹み(1b)を比較的高密度に散在せしめた凸ブロックＢは縦巾狭とし、さらに該凸ブロックＢは建築板(1) の全横巾ｗにわたって連続させているから、該凸ブロックＡと該凸ブロックＢとの差異がさらに強調され、ブロック調模様の変化がさらに顕著に看取される。さらに建築板(1) の全横巾ｗにわたって連続する縦巾狭の凸ブロックＢはリブ効果によって建築板(1) を補強する。
【００１２】
該凸ブロックＢの比較的深い凹み(1b)のいくらかのものが該凸ブロックＢの略全縦巾t2にわたって設けられているから、該凹み(1b)が異形目地溝様に看取される。また建築板(1) の表面を雨水が流れる際、凸ブロックＡ間の縦目地溝(2v)→凸ブロックＢの全縦巾t2にわたる比較的深い凹み(1b)→凸ブロックＡと凸ブロックＢとの間の横目地溝(2w)を伝うので、建築板(1) のほぼ全面にむらなく流れ、流れのかたよりによる雨水汚れの集中がなく、汚れが表面全体に分散され目立ちにくくなる。
【００１３】
〈請求項２〉
該凸ブロックＡ，Ｂの表面高さh1,h2 がほぼ同一に設定されていると、建築板(1) の表面にロールコーターやグラビアオフセット印刷等による塗装が施し易くなる。
【００１４】
〈請求項３および４〉
各凸ブロックＡ，Ｂの上面と側面との境界部(11)および隅角(12)を曲面に形成しかつ各凸ブロックＡ，Ｂの４側面からなる縦横目地溝(2v,2w) の両側の両側壁(21,21) を凹凸面とし、そして該目地溝底面(22)を平面とし、かくして各凸ブロックの上面と側面(21)との境界部(11)および側面(21)と目地溝底面(22)との境界線(23)が不規則な非直線状になって、目地溝(2v,2w) が柔らかな感じになり、堅い機械的な感じがなくなる。そして建築板(1) の一対を横方向に接合したときの目地溝(2v,2w) のずれが目立たなくなる。また目地溝(2v,2w) の両側壁(21,21) が凹凸面とされているので、建築板(1) に光が当たったときに目地溝(2v,2w) の側壁(21)によって投影される陰影が微妙に変化して面白味のある外観を呈する。
【００１５】
〈請求項５〉
該建築板(1) 全面に下塗り塗装が施し、更に各凸ブロックＡ，Ｂ表面にのみ下塗りとは異色塗装の中塗り塗装が施せば、該下塗り塗装と中塗り塗装との境界線ＢＬは不規則な非直線状になっており、更に中塗り塗装の上にグラビアオフセット印刷塗装が施されていると、凸ブロックＡ，Ｂと目地溝(2v,2w) との境界が明瞭になるが、この境界線ＢＬは不規則な非対称状になっているので、堅い機械的な感じがなく柔らかな感じになる。
【００１６】
【発明の実施の形態】
本発明を以下に詳細に説明すれば、図１に示す建築板(1) は、例えば木片、木粉、木質パルプ、木質繊維束、木毛等の木質補強材を混合した長方形板状の木質セメント板であり、図２に示すように表面には目地溝(2v,2w) によって区画された縦巾広の凸ブロックＡの複数個が横方向に配列され、該凸ブロックＡ配列と建築板(1) の全横巾にわたって連続している縦巾狭の凸ブロックＢとが上下交互に配列されて、縦横に配列されたブロック調模様を形成している。
【００１７】
該凸ブロックＡと該凸ブロックＢを形成している縦横の目地溝(2v,2w) は図３および図４に示すように底面(22)が平面で、凸ブロックＡの４側面および凸ブロックＢの上下２側面からなる両側の側壁(21,21) が凹凸面とされ、かくして該凸ブロックＡと該凸ブロックＢの上面と側面(21)との境界線(11)は図５に示すように不規則な非直線状になっており、さらに該凸ブロックＡと該凸ブロックＢの側面(21)と目地溝底面(22)との境界線(23)も不規則な非直線状になっている。
また該凸ブロックＡの表面高さh1と凸ブロックＢの表面の高さh2は同一に設定されている（h1＝h2）。
【００１８】
該凸ブロックＡの表面には種々の異なる大きさと形状の比較的浅い凹み(1a)が比較的低密度に散在されており、該凸ブロックＢの表面には種々の異なる大きさと形状の比較的深い凹み(1b)が比較的高密度に散在されており、該凸ブロックＡの縦巾t1は該凸ブロックＢの縦巾t2より大きく設定され（t1＞t2）、該凸ブロックＡの表面に設けられた凹み(1a)の深さd1は該凸ブロックＢの表面に設けられた凹み(1b)の深さd2より小さく設定され（d1＜d2）、また該凸ブロックＡの表面に散在する凹み(1a)の密度は該凸ブロックＢの表面に散在する凹み(1b)の密度より小さく設定されている。
さらに該凸ブロックＢの表面に設けられた凹み(1b)のうち多数のものは該凸ブロックＢの略全縦巾t2にわたって設けられている。
【００１９】
該建築板(1) のブロック調模様は木質セメント板の養生硬化前にエンボス加工することによって該建築板(1) の表面に形成される。そして該建築板(1) は全面にスプレーにより例えば白地色の下塗り塗装が施され、更に各凸ブロックＡ，Ｂ表面にロールコーターにより下塗りとは異色塗装（例えばオレンジ色）の中塗り塗装が施される。ここで該目地溝(2v,2w) の両側壁(21,21) は凹凸面とされているので、図５に示すように下塗り塗装と中塗り塗装との境界線ＢＬは不規則な非直線状になる。更に中塗り塗装の上に上塗りとして一版目のグラビアオフセット印刷塗装（例えば茶色）および二版目のグラビアオフセット印刷（例えば黒色）が施され、さらに上塗り塗装の上にクリア塗装が施される。グラビアオフセット印刷では模様を印刷してもよい。
本実施例では凸ブロックＡと凸ブロックＢの表面高さh1,h2 が同一にされているので、該凸ブロックＡ、Ｂの表面全体にきれいに印刷できる。
【００２０】
上記実施例以外、図６に示すように建築板(1) 表面の各凸ブロックＡ，Ｂの上面と側面との境界部(23)および隅角(24)を曲面に形成してもよい。このようにするとさらに目地溝(2v,2w) が柔らかな感じになり、堅い機械的な感じがなくなる。そして建築板(1) を横方向に接合したときの目地溝(2v,2w) のずれが目立たなくなる。
【００２１】
【発明の効果】
本発明にあっては、変化に富んだかつ柔らか味のあるブロック調模様を有する建築板が提供される。
【図面の簡単な説明】
図１〜図５は本発明の一実施例を示すものである。
【図１】建築板平面図
【図２】図１におけるＸ−Ｙ部分拡大平面図
【図３】図２におけるＦ1 −Ｆ2 断面図
【図４】図２におけるＦ3 −Ｆ4 断面図
【図５】中塗り塗装状態の凸ブロックＡの部分省略斜視図
図６および図７は本発明の他の実施例を示すものである。
【図６】目地溝の断面図
【図７】凸ブロックＡの平面図
図８および図９は従来例を示すものである。
【図８】建築板の部分断面図
【図９】凸ブロックの平面図
【符号の説明】
1            建築板
1a,1b        凹み
11           境界部（境界線）
12           四隅角
2v           縦目地溝
2w           横目地溝
21           側壁
22           底面
23           境界線
Ａ，Ｂ        凸ブロック
t2            縦巾
h1,h2         高さ
【図１】
0003713014.tif 000002
【図２】
0003713014.tif 000003
【図３】
0003713014.tif 000004
【図４】
0003713014.tif 000005
【図５】
0003713014.tif 000006
【図６】
0003713014.tif 000007
【図７】
0003713014.tif 000008
【図８】
0003713014.tif 000009
【図９】
0003713014.tif 000010